(57)【要約】【課題】  効率のよい配水網の運用を可能とする運用支援装置等を提供する。【解決手段】  運用支援装置は、配水網における設備の運用状態に関する想定値及び実績値に基づいて、設備の各々に関する想定値と実績値との乖離の程度を評価する乖離度評価手段と、乖離及び配水網の構成に関する情報に基づいて、設備の修正に関する優先度を決定する優先度決定手段とを備える。【選択図】      図２
2018101172.tif 000002
【特許請求の範囲】
【請求項１】
配水網における設備の運用状態に関する想定値及び実績値に基づいて、前記設備の各々に関する前記想定値と前記実績値との乖離を評価する乖離度評価手段と、
前記乖離及び前記設備の前記配水網における相互関係に関する情報に基づいて、前記配水網における運用設定値の修正に関する優先度を決定する優先度決定手段とを備える運用支援装置。
【請求項２】
前記乖離度評価手段は、前記設備の消費電力量に関する前記想定値及び前記実績値に基づいて前記乖離を評価する、請求項１に記載の運用支援装置。
【請求項３】
前記優先度決定手段は、前記相互関係にある設備の数と、前記相互関係にある設備の各々に関する前記運用設定値に対する前記乖離とに基づいて前記優先度を決定する、請求項１又は２に記載の運用支援装置。
【請求項４】
前記優先度決定手段は、前記配水網における上流又は下流の位置関係にある複数の前記設備を前記相互関係にある設備として前記優先度を決定する、請求項３に記載の運用支援装置。
【請求項５】
前記優先度決定手段は、前記相互関係にある設備の各々に関する前記乖離を前記相互関係にある設備の数にて除した値に基づいて前記優先度を決定する、請求項３又は４に記載の運用支援装置。
【請求項６】
前記優先度及び前記配水網の運用履歴に基づいて、前記運用設定値の更新に必要となる処理を行う設定値更新手段を備える、請求項１から５のいずれか一項に記載の運用支援装置。
【請求項７】
前記設定値更新手段は、前記優先度に応じて定められた前記設備に対して適切な対処が行われた場合における前記運用履歴に基づいて、更新すべき前記運用設定値を決定する、請求項６に記載の運用支援装置。
【請求項８】
前記設備はポンプステーションである、請求項１から７のいずれか一項に記載の運用支援装置。
【請求項９】
配水網における設備の運用状態に関する想定値及び実績値に基づいて、前記設備の各々に関する前記想定値と前記実績値との乖離を評価し、
前記乖離及び前記設備の前記配水網における相互関係に関する情報に基づいて、前記配水網における運用設定値の修正に関する優先度を決定する運用支援方法。
【請求項１０】
コンピュータに、
配水網における設備の運用状態に関する想定値及び実績値に基づいて、前記設備の各々に関する前記想定値と前記実績値との乖離を評価する処理と、
前記乖離及び前記設備の前記配水網における相互関係に関する情報に基づいて、前記配水網における運用設定値の修正に関する優先度を決定する処理とを実行させるプログラム。
【発明の詳細な説明】
【技術分野】
【０００１】
本発明は、運用支援装置、運用支援方法及びプログラムに関する。
【背景技術】
【０００２】
上水道網等の配水網では、需要が満たされるように、浄水量や配水網の各地点における水圧や水の流量が設定される。そして、当該設定を満たすように、配水網に設けられたポンプやバルブ等の設備の運転方法等が計画される。このような配水の計画においては、ポンプ等の消費電力量が小さくなるような計画が立案されることが好ましい。
【０００３】
特許文献１には、送配水系統全体で消費電力量が最小となる送水ポンプ及び排水ポンプの運転スケジュールを実現する水運用及び配水制御システムに関する技術が記載されている。特許文献１に記載の配水制御システムでは、計画装置が、目的関数が最小のポンプの運転スケジュールを定めるための送配水計画を立案する。
【先行技術文献】
【特許文献】
【０００４】
【特許文献１】特開２０１５−１１４８０４号公報
【発明の概要】
【発明が解決しようとする課題】
【０００５】
大都市における上水道網のような配水網は、複雑なネットワーク構造を有する場合がある。このような配水網においては、需要の変化などに応じて特定の設備に関する運転の状態が変化した場合に、関連する他の設備の運転に対して影響が生じる可能性がある。したがって、このような配水網において、消費エネルギーを小さくするように設備の運転の状態を変化させるには、複数の設備の間の影響を考慮することが好ましい。すなわち、特許文献１に記載の技術等に対して、更に配水網全体の効率を向上させる手法が求められている。
【０００６】
本発明は、上記課題を解決するためになされたものであって、効率のよい配水網の運用を可能とする運用支援装置等を提供することを主たる目的とする。
【課題を解決するための手段】
【０００７】
本発明の一態様における運用支援装置は、配水網における設備の運用状態に関する想定値及び実績値に基づいて、設備の各々に関する想定値と実績値との乖離を評価する乖離度評価手段と、乖離及び設備の配水網における相互関係に関する情報に基づいて、配水網における運用設定値の修正に関する優先度を決定する優先度決定手段とを備える。
【０００８】
本発明の一態様における運用支援方法は、配水網における設備の運用状態に関する想定値及び実績値に基づいて、設備の各々に関する想定値と実績値との乖離を評価し、乖離及び設備の配水網における相互関係に関する情報に基づいて、配水網における運用設定値の修正に関する優先度を決定する。
【０００９】
本発明の一態様におけるプログラムは、コンピュータに、配水網における設備の運用状態に関する想定値及び実績値に基づいて、設備の各々に関する想定値と実績値との乖離を評価する処理と、乖離及び設備の配水網における相互関係に関する情報に基づいて、配水網における運用設定値の修正に関する優先度を決定する処理とを実行させる。
【発明の効果】
【００１０】
本発明によると、効率のよい配水網の運用を可能とする運用支援装置等を提供することができる。
【図面の簡単な説明】
【００１１】
【図１】本発明の各実施形態において対象とされる配水網の例を示す図である。
【図２】本発明の第１の実施形態における運用支援装置を示す図である。
【図３】本発明の第１の実施形態における運用支援装置の他の構成を示す図である。
【図４】配水網における運用状態に関する想定値と実績値との関係を示す図である。
【図５】配水網において相互作用を及ぼす設備の例を示す図である。
【図６】本発明の第１の実施形態における運用支援装置の動作を示すフローチャートである。
【図７】本発明の第２の実施形態における運用支援装置を示す図である。
【図８】本発明の第２の実施形態における運用支援装置の他の構成を示す図である。
【図９】本発明の第１の実施形態における運用支援装置の動作を示すフローチャートである。
【図１０】本発明の各実施形態における運用支援装置等を実現する情報処理装置の一例を示す図である。
【発明を実施するための形態】
【００１２】
本発明の各実施形態について、添付の図面を参照して説明する。本発明の各実施形態において、各装置（システム）の各構成要素は、機能単位のブロックを示している。各装置（システム）の各構成要素の一部又は全部は、例えば図１０に示すような情報処理装置５００とプログラムとの任意の組み合わせにより実現される。情報処理装置５００は、一例として、以下のような構成を含む。
【００１３】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｎｄｏｍ  Ａｃｃｅｓｓ  Ｍｅｍｏｒｙ）５０３
・ＲＡＭ５０３にロードされるプログラム５０４
・プログラム５０４を格納する記憶装置５０５
・記録媒体５０６の読み書きを行うドライブ装置５０７
・通信ネットワーク５０９と接続する通信インターフェース５０８
・データの入出力を行う入出力インターフェース５１０
・各構成要素を接続するバス５１１
各実施形態における各装置の各構成要素は、これらの機能を実現するプログラム５０４をＣＰＵ５０１が取得して実行することで実現される。各装置の各構成要素の機能を実現するプログラム５０４は、例えば、予め記憶装置５０５やＲＡＭ５０３に格納されており、必要に応じてＣＰＵ５０１が読み出す。なお、プログラム５０４は、通信ネットワーク５０９を介してＣＰＵ５０１に供給されてもよいし、予め記録媒体５０６に格納されており、ドライブ装置５０７が当該プログラムを読み出してＣＰＵ５０１に供給してもよい。
【００１４】
各装置の実現方法には、様々な変形例がある。例えば、各装置は、構成要素毎にそれぞれ別個の情報処理装置５００とプログラムとの任意の組み合わせにより実現されてもよい。また、各装置が備える複数の構成要素が、一つの情報処理装置５００とプログラムとの任意の組み合わせにより実現されてもよい。
【００１５】
また、各装置の各構成要素の一部又は全部は、プロセッサ等を含む汎用または専用の回路（ｃｉｒｃｕｉｔｒｙ）や、これらの組み合わせによって実現される。これらは、単一のチップによって構成されてもよいし、バスを介して接続される複数のチップによって構成されてもよい。各装置の各構成要素の一部又は全部は、上述した回路等とプログラムとの組み合わせによって実現されてもよい。
【００１６】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００１７】
最初に、本発明の各実施形態において想定される配水網の例を説明する。本発明の各実施形態において説明される各装置等は、図１に示す上水道の配水網５０を対象とすることが想定する。配水網５０においては、取水施設５２−１又は５２−２を介して、河川５１を流れる水が取り入れられる。取り入れられた水は、管路５６を介して浄水場５３−１又は５３−２へそれぞれ送られる。
【００１８】
そして、浄水場５３−１又は５３−２にて浄化された水は、管路５６を介して需要点５５−１から５５−４へ送られる。需要点５５−１から５５−４の各々において水が利用される。
【００１９】
需要点５５−１から５５−４の各々は、配水網５０を介して送られる水を利用する施設等である。需要点５５−１から５５−４の各々には、例えば、一般の家庭、企業等の事務所、商店、工場等が含まれる。すなわち、需要点５５は、配水網５０を介して配水される水を利用する利用者（需要家とも呼ばれる）の集合である。なお、需要点５５−１から５５−４の各々に存在する利用者の数は図１の例に限られず、特に制限されない。
【００２０】
また、浄水場５３−１又は５３−２の各々と需要点５５−１から５５−４の各々との間には、給水所等を含む配水の状態の制御等に関する施設が適宜設けられる。図１に示す例では、給水所５４−１及び５４−２の２つの施設が設けられている。配水網５０の例では、浄水場５３−１又は５３−２や給水所５４−１又は５４−２には、例えば任意の台数のポンプにて構成されるポンプステーションやバルブ等の配水の状態を変化させる設備が設けられていることを想定する。
【００２１】
なお、以下の各実施形態等では、ポンプステーションは、任意の台数のポンプにて構成される設備であることを想定する。ポンプステーションにおけるポンプの台数や種類等は特に限定されない。又は、ポンプステーションは単一のポンプであってもよい。
【００２２】
配水網５０の運用に際しては、浄水場５３−１若しくは５３−２、給水所５４−１若しくは５４−２等の施設に設けられたポンプ圧やポンプ流量等の運用に関する設定が、需要点５５の各々等における水の需要に応じて定められる。設定される水圧や水の流量等を含む配水網５０の運用に関する設定は、運用設定値と呼ばれる場合がある。運用設定値として定められる設定は上記に限られず、管路５６の各地点において送水される水の圧力や流量等が含まれてもよい。
【００２３】
そして、設定された配水網５０における水の圧力や流量等を満たすように、浄水場５３−１若しくは５３−２、給水所５４−１若しくは５４−２等の施設に設けられたポンプ等の設備の各々に関する配水計画が決定される。
【００２４】
配水計画は、例えば、ポンプステーションの運転方法や、バルブの操作方法等を含む。配水計画は、運用設定値に基づいて定められる。すなわち、配水計画として定められるポンプステーションの運転方法には、運用設定値として定められた圧力や流量にて水が送水されるようなポンプステーションの稼働時間帯、稼働台数、稼働させるポンプの組み合わせ、回転数等が含まれる。配水計画として定められるバルブの操作方法には、バルブの操作方法が含まれる。すなわち、配水計画には、ポンプステーションやバルブ等の運用に関する各種のパラメータに対する指定が含まれる。
【００２５】
配水網５０においては、一日毎等の予め定めた期間を単位として、当該期間に対して運用設定値が定められる。そして、運用設定値を満たすように、上述したポンプの運転等に関するパラメータに対する指定が配水計画として定められる。
【００２６】
策定された配水計画に基づく配水網５０の運用は、例えば後述する図２に示す配水運用システム１０によって行われる。例えば、配水運用システム１０は、配水網５０の配水を制御する。配水運用システム１０は、配水計画の策定を行う際に用いられる構成を備えてもよい。
【００２７】
（第１の実施形態）
まず、本発明の第１の実施形態について説明する。図２は、本発明の第１の実施形態における運用支援装置を示す図である。また、図３は、本発明の第１の実施形態における運用支援装置の他の構成を示す図である。
【００２８】
図２に示すとおり、本発明の第１の実施形態における運用支援装置１００は、乖離度評価部１１０と、優先度決定部１２０とを備える。乖離度評価部１１０は、配水網における設備の運用状態に関する想定値及び実績値に基づいて、設備の各々に関する想定値と実績値との乖離の程度を評価する。優先度決定部１２０は、乖離及び配水網の構成に関する情報に基づいて、配水網における運用に関する設定である運用設定値の修正に関する優先度を決定する。設備の運用状態には、上述した配水計画に基づいて配水網５０が運用された場合における設備の消費電力又は一定の期間における消費電力量や、設備等の各々における実際の水の圧力や流量等が含まれる。
【００２９】
また、運用支援装置１００は、上述した要素に加えて、上述した乖離度評価部１１０又は優先度決定部１２０にて用いられる情報を取得するための構成を備えてもよい。一例として、図３（Ａ）に示すように、運用支援装置１００は、設定値取得部１３０と、配水計画決定部１４０と、実績値取得部１５０とを更に備えてもよい。
【００３０】
設定値取得部１３０は、運用設定値を取得する。運用設定値は、上述のように、配水網５０における設備の各々の運用に関連する設定である。浄水場５３、給水所５４等の配水網５０に設けられた施設や、これらの施設が備えるポンプステーション等における水圧や水の流量等、水の需要に応じて定められた値が、設備と適宜関連して運用設定値として定められる。
運用設定値には、配水網５０に含まれる需要点５５の各々における需要やその予測値等が含まれてもよい。
【００３１】
設定値取得部１３０は、運用設定値の他に、配水網５０の構成に関する情報を取得してもよい。配水網５０の構成には、管路５６の各々の接続関係や、浄水場５３、給水所５４、需要点５５の接続関係等、浄水場５３、給水所５４等に設けられたポンプステーション等の設備の配置が含まれる。上述したポンプやバルブの特性等、これらの設備の性能に関する情報が配水網５０の構成を表す情報に含まれてもよい。また、配水網５０の構成を表す情報として、管路５６の流量や給水所５４等における貯水量の上限や下限が含まれてもよい。設定値取得部１３０は、上述した情報を、キーボード、マウス、タッチパネル等の任意の入力手段や通信ネットワーク等を介して取得する。
【００３２】
配水計画決定部１４０は、設備の各々に対する運用設定値及び配水網５０の構成を示す情報に基づいて、配水網５０における配水計画を求める。つまり、配水計画決定部１４０は、設備の各々に対する運用設定値が満たされるように配水計画として求める。配水計画には、浄水場５３における単位期間当たりの浄水量、一定の期間における管路５６の各々における流量等が含まれる。この他に、配水計画決定部１４０は、配水計画として、配水網５０に設けられたポンプの運転手順やバルブの操作手順等を求めてもよい。
【００３３】
配水計画決定部１４０は、好ましくは、任意の指標を基準として最適化された配水計画を定める。例えば、配水計画決定部１４０は、運用設定値が満たされる配水計画のうち、配水網５０における設備の一定の期間における消費電力量が最小となるような配水計画を求める。配水計画決定部１４０による具体的な配水計画の策定方法としては、公知の任意の手法が用いられる。また、一定の期間は、配水網５０の需要や運用の状況等に応じて適宜定められる。
【００３４】
配水計画として定められるポンプステーションの運転方法には、例えば、運用設定値で定められた圧力や流量にて水が送水されるようなポンプステーションの稼働時間帯、稼働台数、稼働させるポンプの組み合わせ、回転数等が含まれる。その他の配水網５０に設けられた設備に関するパラメータの指定が配水計画に含まれてもよい。
【００３５】
配水計画決定部１４０は、一例として、配水網５０に設けられた設備の消費電力量が最小となるような配水計画を求める。より詳しくは、配水計画決定部１４０は、例えば配水計画に沿って配水網５０に設けられたポンプステーションの運転が行われた場合に、当該ポンプステーションにおける一定の期間における消費電力量が小さくなるような配水計画を求める。なお、乖離度評価部１１０によって乖離度が評価される場合には、例えば、求められた配水計画に基づいて想定値が定められる。
【００３６】
実績値取得部１５０は、配水網におけるポンプ等を含む設備の運用状態に関する実績値を取得する。実績値取得部１５０は、例えば、配水網における設備の運用状態に関する実績値を配水運用システム１０等から通信ネットワーク等を介して取得する。取得された実測値は、乖離度評価部１１０において用いられる。
【００３７】
実績値取得部１５０が取得する情報には、例えば、管路５６の各地点を流れた水量、ポンプステーション等の設備の一定時間における吐出水量、ポンプ等の設備によって一定の期間に消費された消費電力量等が含まれる。ただし、実績値取得部１５０が取得する実績値等はこれらに限られない。実績値取得部１５０は、乖離度評価部１１０又は優先度決定部１２０によって必要とされる他の実績値を取得してもよい。
【００３８】
また、本実施形態においては、上述のように、配水運用システム１０が上水道の配水網５０の配水を制御する場合を想定する。この場合には、配水運用システム１０は、配水網５０の運用に際して、一般に、運用設定値や配水網５０の構成を表す情報が必要となる。また、配水運用システム１０は、配水計画の策定や実績値の取得が必要となる場合がある。したがって、配水運用システム１０は、上述した設定値取得部１３０、配水計画決定部１４０及び実績値取得部１５０に相当する要素を備える場合がある。
【００３９】
図３（Ｂ）は、配水運用システム１０が設定値取得部１３、配水計画決定部１４及び実績値取得部１５を備える場合の例を示す。設定値取得部１３、配水計画決定部１４及び実績値取得部１５の各々は、図３（Ａ）における設定値取得部１３０、配水計画決定部１４０及び実績値取得部１５０とそれぞれ対応する。
【００４０】
図３（Ｂ）に示す配水運用システム１０の構成においては、設定値取得部１３及び配水計画決定部１４は、主に運用設定値の取得や配水計画の策定に際して用いられる。また、図３（Ｂ）に示す配水運用システム１０の構成において、実績値取得部１５は、主に配水網５０における配水の状況を取得する際に用いられる。
【００４１】
図３（Ｂ）に示す構成においては、運用支援装置１００の乖離度評価部１１０又は優先度決定部１２０は、上述した配水運用システム１０の各要素が取得又は決定等した値を用いてもよい。
【００４２】
なお、図３（Ａ）及び（Ｂ）に示す例において、配水運用システム１０は、配水網５０における配水の制御に関する他の要素（不図示）を備えてもよい。図３（Ｂ）に示す例において、配水運用システム１０が、運用支援装置１００を有する構成であってもよい。
【００４３】
続いて、本発明の第１の実施形態における運用支援装置１００の主な構成要素である乖離度評価部１１０及び優先度決定部１２０について説明する。
【００４４】
乖離度評価部１１０は、配水網５０の各施設に設けられたポンプ等の設備の運用状態に関する想定値及び実績値に基づいて、設備の各々に対する想定値と実績値との乖離の程度を評価する。運用状態は、例えば、配水計画に沿って配水網５０の運用が行われた場合における配水網５０の設備の各々に関する状態や値を示す。
【００４５】
乖離度評価部１１０は、運用状態の一例として、配水網５０の各施設に設けられた設備の一定の期間における消費電力量を対象とする。設備には、ポンプが含まれる。つまり、乖離度評価部１１０は、例えば配水網５０の各施設に設けられたポンプの一定の期間における消費電力量に関する想定値と実績値との乖離の程度を評価する。なお、以下の説明では、上述した乖離の程度を「乖離度」又は単に「乖離」と称する場合がある。なお、乖離度評価部１１０は、この場合に、ポンプの一定の期間における消費電力量に影響しうる他の設備の運用状態に対する想定値と実績値との乖離を評価の対象としてもよい。
【００４６】
想定値は、例えば予め求められた配水計画に沿って配水網５０の運用が行われる場合に想定される、運用の状態に関する値である。想定値は、例えば一定の期間を単位として想定される。乖離度評価部１１０は、配水計画決定部１４０又は配水運用システム１０が備える配水計画決定部１４によって求められた配水計画に基づいて、対象とする設備に関する想定値を求める。乖離度評価部１１０は、配水計画決定部１４０又は配水運用システム１０が備える配水計画決定部１４において配水計画に基づいて求められた想定値を取得してもよい。
【００４７】
なお、想定値の基準となる配水計画は、また、予め配水計画決定部１４０等によって求められた計画である。また、配水網５０の需要点５５の各々における水の需要が変化した場合には、乖離度評価部１１０は、需要の変化に応じて配水計画決定部１４０等によって改めて求められた配水計画を基準とした想定値を用いてもよい。
【００４８】
実績値は、配水網５０において実際に配水が行われた場合の設備の各々に関する運用状態に関する値である。実績値として、実績値取得部１５０や、配水運用システム１０が備える実績値取得部１５等が取得した運用状態に関する値が用いられる。
【００４９】
図４（Ａ）及び（Ｂ）を用いて、乖離度評価部１１０による乖離の程度の評価についての一例を説明する。図４（Ａ）及び（Ｂ）は、ポンプステーションの流量と一定の期間における消費電力量との関係を示すグラフである。図４（Ａ）及び（Ｂ）のそれぞれにおいて、横軸はポンプステーションの流量を表し、縦軸はポンプの一定の期間における消費電力量を表す。図４（Ａ）及び（Ｂ）の例において、一定の期間として、例えば１５分が想定される。図４のグラフは、例えば配水網５０等に設けられたポンプステーション毎に求められる。なお、図４（Ａ）及び（Ｂ）に示すグラフでは、ポンプステーションを単にポンプと記載する。
【００５０】
図４（Ａ）のグラフでは、実線は、例えば配水計画決定部１４０等によって求められた配水計画に従ってポンプステーションの運転が行われた場合の一定の期間に想定される、ポンプステーションの流量と消費電力量との関係の例を表す。この関係は、例えば配水計画の対象となるポンプステーション毎等に求められる。乖離度評価部１１０は、図４（Ａ）の実線を、配水網５０に設けられたポンプの各々に関する一定の期間における流量と消費電力量との関係の想定値とする。
【００５１】
また、図４（Ａ）のグラフにおいて、四角の印の各々は、例えば実績値取得部１５０等を介して配水網５０に設けられたポンプステーションの各々から実際に得られた値である。乖離度評価部１１０は、図４（Ａ）の四角の各々を、配水網５０に設けられたポンプの各々に関する流量と一定の期間における消費電力量との関係の実績値とする。
【００５２】
なお、実績値は、配水網５０の運用において実際に得られた値を表す。実績値は、例えば、１５分等の一定の期間を単位として求められる。一定の期間は、例えば需要が概ね一定であると予想される状況の長さ等に応じて定められる。図４（Ａ）のグラフは、例えば、８時から８時１５分まで等の１５分の期間における想定値及び実績値を表す。
【００５３】
配水計画決定部１４０等によって求められた配水計画に沿って配水網５０の設備の運転が行われる場合には、ポンプステーションの流量と消費電力との関係は、概ね想定値に沿った値となる。しかしながら、例えば水の需要の変化等の条件の変化に応じて、ポンプステーションを含む配水網５０に設けられた設備の運転に関するパラメータ等に対する指定が現場毎に変更される場合がある。
【００５４】
また、一つの設備の運用状態は、他の設備の運用状態の影響を受ける場合がある。これによって、ポンプの流量と一定の期間における消費電力量との関係が想定値と乖離し、想定値と比較して大きな電力が消費される場合が生じうる。
【００５５】
図４（Ａ）に示すように、実績値の多くにおいては、流量と消費電力との関係は、概ね想定値に沿った関係となる。しかしながら、図中の点線で囲まれた領域に含まれる実績値については、流量に対する消費電力が想定値と比較して大きくなっている。すなわち、これらに対応するポンプステーションにおいては、想定値と比較して大きな電力が消費されていると考えられる。
【００５６】
乖離度評価部１１０は、乖離度の評価の一例として、図４（Ｂ）に示すように、上述した実績値と想定値との座標上の距離を求める。乖離度評価部１１０は、例えば、一定の期間に関する実績値と想定値との座標上の距離を求める。一定の期間は、例えば上述のような１５分等の期間となる。なお、図４（Ｂ）に示すグラフでは、想定値及び実測値は、図４（Ａ）に示すグラフと同様に表されている。また、図４（Ｂ）に示すグラフにおいて、三角の印は、実測値が予測値から外れているポンプに関する個々の想定値を表す。
【００５７】
図４（Ｂ）に示す例では、乖離度評価部１１０は、例えば、上述のような想定値と実測値との座標上の距離に基づいて、乖離度を評価する。例えば、乖離度評価部１１０は、ポンプステーション等の設備の各々について、三角の印にて表される一定の期間における想定値と、四角の印にて表される一定の期間における実測値との座標上の距離を求める。乖離度評価部１１０は、上述のように一定の期間毎に求められた座標上の距離に対して一日等の予め定めた期間における和を求める。そして、乖離度評価部１１０は、求めた和を、ポンプ等の配水網５０に設けられた施設の各々に対する乖離度とする。
【００５８】
なお、乖離度評価部１１０は、実績値と想定値との差異に関する他の指標を乖離度としてもよい。また、想定値及び実績値の各々について、上述した距離を求める対象となる期間及び乖離の程度を求める差異の期間のそれぞれは、上述の例に限定されない。また、上述した予め定めた期間となる期間は、一日等に限られず、異なってもよい。上述した各々の期間は、配水網５０の需要の変化等を含む配水網５０の状態等に応じて定められればよい。
【００５９】
また、配水網５０の各設備での一定の期間における消費電力量の実績値が想定値よりも小さいに場合には、特段の問題とならないことが想定される。そこで、乖離度評価部１１０は、消費電力量に関して乖離度を定める際には、想定値と比較して一定の期間における消費電力量の実績値が大きい場合に乖離度が大きくなるように乖離度を定めてもよい。乖離度評価部１１０は、一定の期間における消費電力量の実績値が想定値よりも小さい場合には、実績値が想定値に沿っているとして扱われるように乖離度を定めてもよい。
【００６０】
優先度決定部１２０は、乖離度評価部１１０によって評価された乖離の程度及び配水網５０における後述する相互関係に関する情報に基づいて、配水網５０における運用設定値の修正に関する優先度を決定する。
【００６１】
上述のように、乖離度評価部１１０によって想定値と実績値との乖離度が評価される。乖離度が大きい場合には、例えば、想定と比較して大きな電力が消費されている可能性がある。この場合には、乖離の程度に基づいて、例えば一定の期間における消費電力量が小さくなるように、配水網５０に設けられた設備の運用設定値が変更されることが好ましい。そして、運用設定値の変更に際しては、乖離度が大きい設備に関する運用設定値が変更の対象として選択されることが想定される。
【００６２】
しかしながら、配水網５０は、一般に、複雑なネットワーク構造を有する。ポンプ等の一つの配水網５０における設備の運用状態が変更されるように当該設備の運転方法等の指定が変更されると、他の設備の運用状態が当該変更の影響を受ける可能性がある。この場合に、乖離度が大きな設備の一定の期間における消費電力量が減少させるようにその設備に関する運転方法等の指定が変更されると、他の設備の当該一定の期間における消費電力量が増加する等の可能性がある。
【００６３】
例えば、乖離度が大きな設備の一定の期間における消費電力量を減少させるように運用状態が変更されると、配水網５０全体の運用にて必要となる消費電力が、逆に増加する可能性がある。したがって、乖離度が大きなポンプ等の設備に基づいて運用設定値が変更される際には、当該設備の運用状態の変更に影響を受ける他の設備に関する考慮が必要となる場合がある。
【００６４】
なお、以下の説明では、乖離の程度が予め定めた条件を満たす設備と、当該設備に対する運用状態の変更の影響を受ける設備とをまとめて「相互作用を及ぼす設備」と称する場合がある。また、相互作用を及ぼす設備の各々の間の関係を、相互関係と称する場合がある。すなわち、相互関係にある設備は、互いに各々の運用状態に影響を及ぼしうる設備である。
【００６５】
優先度決定部１２０は、まず、乖離の程度が予め定めた条件を満たす設備と、当該設備に関する運用状態の変化によって影響を受ける設備を抽出する。すなわち、優先度決定部１２０は、乖離度が予め定めた条件を満たす設備、及び当該設備と相互関係にある一群の設備に関連する運用設定値を、優先度を決定する対象として抽出する。
【００６６】
上述した相互関係にある設備は、例えば配水網５０等において、乖離度が予め定めた条件を満たす設備の上流又は下流に位置する設備である。これらの設備は、例えばポンプステーションであるが、バルブ等の配水に影響を及ぼす他の種類の設備であってもよく、設備の種類は限られない。上流又は下流の位置関係は、配水網５０の構成や、配水計画決定部１４０等によって求められた配水計画に応じた水の流れ、実績値取得部１５０等によって取得された実測値等を用いて得られる水の流れに基づいて定められる。
【００６７】
優先度決定部１２０は、相互関係にある設備の特定に必要となる情報、すなわち、配水網５０における相互関係に関する情報を、設定値取得部１３０、配水計画決定部１４０及び実績値取得部１５０等から適宜取得する。相互作用を及ぼす設備の特定に必要となる情報には、例えば、配水網５０の構成や、配水網５０における水の流れに関する情報が含まれる。
【００６８】
また、優先度決定部１２０は、配水運用システム１０が備える設定値取得部１３、配水計画決定部１４及び実績値取得部１５０等から相互関係に関する情報を取得してもよい。また、優先度決定部１２０は、乖離度評価部１１０が取得した情報のうち、相互関係に関する情報として利用可能な情報を乖離度評価部１１０から取得して用いてもよい。
【００６９】
なお、乖離の程度が予め定めた条件を満たす設備は、例えば、乖離の程度が最も大きな設備である。又は、乖離の程度が予め定めた条件を満たす設備は、乖離の程度が所定の閾値よりも大きな設備であってもよい。乖離の程度が予め定めた条件を満たす複数の設備が存在する場合には、優先度決定部１２０は、例えば複数の設備の各々に対して相互関係にある設備を抽出する。
【００７０】
優先度決定部１２０は、相互関係にある設備の各々に対する乖離度と、相互関係にある設備の数とに基づいて、これらの相互関係にある設備に関連する運用設定値に対して優先度を定める。例えば、優先度決定部１２０は、乖離の程度が予め定めた条件を満たす設備及び一群の相互関係にある設備の各々の設備に対して求められた乖離度の和を、これらの設備の数の和で除して得た値の大きさに基づいて優先度を定める。
【００７１】
つまり、優先度決定部１２０は、まず、乖離度の大きさに基づいて、優先度の決定の対象となる運用設定値に関連する設備を抽出する。この場合には、単に乖離度が最も大きい等の予め定めた条件を満たす設備に限らず、一群の相互関係にある設備が抽出される。そして、優先度決定部１２０は、一群の相互関係にある設備の各々対して求められた乖離度の和に基づいて、優先度を定める。このようにすることで、乖離度が大きな設備を含む、一群の相互関係にある設備に関連する運用設定値に対して高い優先度が付される可能性が高まる。したがって、単に乖離度が大きな設備に関連する運用設定値のみが変更される場合等に生じうるような、配水網５０全体の運用における消費電力量の増加の回避が容易となる。
【００７２】
一方で、上述した乖離度の和に基づいて優先度が定められる場合には、対象となる一群の相互関係にある設備の数が多い場合に乖離度の和が大きな値となる可能性がある。そして、このような一群の設備に関連する運用設定値に対して高い優先度が定められる可能性がある。しかしながら、相互関係にある設備の数が多い場合には、運用設定値の変更や、運用設定値の変更に起因する配水計画の変更に基づく運用状態の変更に大きな作業工数が必要となる可能性がある。そのため、配水網５０の運用に際しては、少数の設備に対する運用状態の変更によって大きな効果が得られることが好ましい。
【００７３】
そこで、優先度決定部１２０は、乖離度が大きな運用設定値に関連する設備及び当該設備と相互関係にある設備の各々に関連する運用設定値に対する乖離度の和を、これらの設備の数の和で除して得た値に基づいて、優先度を定める。例えば、優先度決定部１２０は、上述のように得られた値の大きさの順に優先度を定める。このようにすることで、優先度の決定に際して、運用設定値の変更による改善の効果と、改善に要する手間の双方が考慮される。
【００７４】
なお、優先度決定部１２０は、異なる手順で優先度を決定してもよい。優先度決定部１２０は、例えば、相互作用を及ぼす設備の各々に対する乖離程度又は相互作用を及ぼす設備の数のいずれか一方に基づいて、優先度を定めてもよい。また、優先度決定部１２０にて優先度の算出に用いられる手法は、上述した例と異なってもよい。例えば、設定の変更に関する手間が小さい場合には、優先度決定部１２０は、乖離度の和が最も大きな一群の設備に関連する運用設定値に対して高い優先度を与えてもよい。又は、優先度決定部１２０は、乖離度が最も大きな設備を含む一群の設備に関連する運用設定値に対して高い優先度を与えてもよい。
【００７５】
また、優先度決定部１２０は、全ての運用設定値に対して優先度を決定してもよいし、運用状態の変更が必要である一部の設備に関連する運用設定値に対して優先度を決定してもよい。一部の設備に関連する運用設定値に対して優先度決定部１２０が優先度を決定する場合には、例えば適切な状態で運用されており、運用状態の変更が必要ではない設備に関連する運用設定値は、優先度の決定の対象から除外されてもよい。
【００７６】
図５を用いて、一つの設備に関連する運用設定値の変更によって影響を受ける設備、すなわち、相互関係にある設備の例について説明する。図５に示す配水網６０の例においては、浄水場６３において浄水された水が、管路６００を介して需要点６５−１から６５−７の各々へ供給される場合が想定される。管路６００には、給水所６４−１から６４−４が設けられている。
【００７７】
なお、図５に示す配水網６０において、浄水場６３、給水所６４及び需要点６５の各々は、図１に示す浄水場５３、給水所５４及び需要点５５と同様の種類の施設である。また、浄水場６３、給水所６４及び需要点６５の各々は、少なくともポンプステーションを備えると想定する。また、図５において、管路６００の各々に付された矢印は、各々の地点における水の流れを示す。水の流れは、配水計画決定部１４０等によって求められた配水計画、実績値取得部１５０等によって取得された実測値等に基づいて定められる。
【００７８】
この例において、乖離度評価部１１０によって、給水所６４−４が備えるポンプステーションに関して乖離度が大きいと評価された場合を想定する。浄水場６３からの給水所６４−４への配水の経路には、給水所６４−１が存在する。この場合に、優先度決定部１２０は、これらの設備を、給水所６４−４が備えるポンプの運用状態の変更によって相互作用を及ぼす設備として抽出する。すなわち、この例においては、給水所６４−４、給水所６４−１及び浄水場６３が備えるポンプステーションが相互関係にある設備である。
【００７９】
なお、浄水場６３及び給水所６４−１は、いずれも給水所６４−４への配水の経路の上流側に存在する。ただし、給水所６４−４の下流側の経路にポンプステーション等を備える設備が存在する場合には、優先度決定部１２０は、上述のように、給水所６４−４の下流側に位置する設備を、相互関係にある設備として抽出してもよい。
【００８０】
優先度決定部１２０は、給水所６４−４、浄水場６３及び給水所６４−１の乖離度の和を設備の数である３で除した値に基づいて、優先度を定める。配水網６０に他の一群の相互関係にある設備が存在する場合には、それらの一群の設備に対して、乖離度の和を設備の数で除した値が求められる。そして、例えば求められた値の大きさに基づいて、優先度決定部１２０は優先度を定める。
【００８１】
優先度が定められると、配水運用システム１０や、関連する設備の管理者等へ優先度が伝えられる。そして、優先度の大きさ等に応じて、配水網５０における運用設定値が更新される。運用設定値が更新されると、新たな配水計画が配水計画決定部１４等によって求められる。そして、求められた新たな配水計画に基づいて、配水網５０に設けられた設備のパラメータ等が設備の管理者等によって適宜修正される。
【００８２】
続いて、図６に示すフローチャートを参照して、本発明の第１の実施形態における運用支援装置１００の動作を説明する。
【００８３】
最初に、乖離度評価部１１０は、乖離度の評価に必要となる情報を取得する（ステップＳ１０１）。ステップＳ１０１において、乖離度評価部１１０は、少なくとも、上述した配水網５０における設備の運用状態に関する想定値及び実績値を取得する。
【００８４】
次に、乖離度評価部１１０は、ステップＳ１０１にて取得された情報を用いて、乖離度を評価する（ステップＳ１０２）。
【００８５】
次に、優先度決定部１２０は、ステップＳ１０２にて求められた乖離度と、相互関係に関する情報に基づいて、運用設定値の修正に関する優先度を決定する（ステップＳ１０３）。ステップＳ１０３において、優先度決定部１２０は、設定値取得部１３０、配水計画決定部１４０及び実績値取得部１５０等から相互関係に関する情報を適宜取得する。また、優先度決定部１２０は、ステップＳ１０１にて取得した配水網５０等の構成に関する情報を相互関係に関する情報として用いてもよい。
【００８６】
なお、運用支援装置１００は、ステップＳ１０１からＳ１０３までの動作を定期的に又は需要の変化等に応じて繰り返してもよい。
【００８７】
以上のとおり、本発明の第１の実施形態における運用支援装置１００は、運用状態に関する乖離度に基づいて、運用設定値の修正に関する優先度を決定する。優先度決定部１２０による優先度の決定に際しては、配水網の構成が考慮される。すなわち、優先度の決定に際しては、配水網５０等における運用設定値が変更された場合の設備の相互関係が考慮される。そのため、例えば配水網５０の全体での消費電力量の増加が回避されるような優先度の決定が可能となる。
【００８８】
したがって、本実施形態における運用支援装置１００は、効率のよい配水網の運用を可能とする。
【００８９】
（第２の実施形態）
次に、本発明の第２の実施形態について説明する。図７は、本発明の第２の実施形態における運用支援装置を示す図である。また、図８は、本発明の第２の実施形態における運用支援装置の他の構成を示す図である。
【００９０】
図７に示すとおり、本発明の第２の実施形態における運用支援装置２００は、乖離度評価部１１０と、優先度決定部１２０と、設定値更新部２６０とを備える。乖離度評価部１１０及び優先度決定部１２０は、第１の実施形態における運用支援装置１００が備える同じ符号が付された要素と同様の要素である。設定値更新部２６０は、各々の設備に対する優先度に及び配水網の運用履歴に基づいて、各々の設備に関連する運用設定値を更新する。
【００９１】
また、本実施形態における運用支援装置２００は、運用履歴記憶部２６１を備えてもよい。運用履歴記憶部２６１は、配水網５０における運用の履歴を記憶する。
【００９２】
すなわち、本実施形態における運用支援装置２００は、少なくとも設定値更新部２６０を更に備える点が、第１の実施形態における運用支援装置１００と異なる。
【００９３】
本実施形態における運用支援装置２００は、第１の実施形態における運用支援装置１００と同様に、設定値取得部１３０と、配水計画決定部１４０と、実績値取得部１５０とを更に備えてもよい。図８（Ａ）は、運用支援装置２００がこれらの要素を備える場合の構成を示す図である。
【００９４】
また、配水運用システム１０が、配水計画決定部１４０及び実績値取得部１５０に相当する要素を備える場合には、運用支援装置１００は、これらの要素が取得又は決定した値を用いてもよい。
【００９５】
図８（Ｂ）は、配水運用システム１０が設定値取得部１３、配水計画決定部１４及び実績値取得部１５を備える場合の例を示す。第１の実施形態における例と同様に、設定値取得部１３、配水計画決定部１４及び実績値取得部１５の各々は、図８（Ａ）における設定値取得部１３０、配水計画決定部１４０及び実績値取得部１５０とそれぞれ対応する。
【００９６】
続いて、本発明の第２の実施形態における運用支援装置２００の各構成要素のうち、第１の実施形態における運用支援装置１００に含まれない要素について説明する。
【００９７】
設定値更新部２６０は、優先度決定部１２０によって決定された優先度と、配水網５０における運用の履歴とに基づいて、配水網５０等に設けられた設備の各々に関連する運用設定値の更新に必要となる処理を行う。
【００９８】
運用の履歴には、例えば配水計画や配水網５０における需要の変化等に基づくポンプステーション等の設備に対する操作内容等、配水網５０における設備の過去の運用に関する履歴が含まれる。運用設定値の更新に必要となる処理には、例えば、更新すべき運用設定値又は運用設定値の具体的な値の候補の決定や出力、配水運用システム１０等における運用設定値や当該運用設定値に基づいて定まる配水計画等の更新が含まれる。
【００９９】
本実施形態においては、運用支援装置２００は、上述のように、一例として運用履歴記憶部２６１を備える場合を想定する。運用履歴記憶部２６１は、配水網５０における設備の運用に関する履歴を記憶する。なお、運用支援装置２００は、配水網５０における運用の履歴を、通信ネットワーク等を介して必要に応じて配水運用システム１０等から取得してもよい。
【０１００】
一例としては、運用履歴記憶部２６１は、運用履歴がパターン化されたナレッジベースとして構成される。この場合に、運用履歴記憶部２６１には、乖離度が大きい場合における運用設定値の変更の履歴が複数の観点にて分類して格納される。
例えば、運用設定値の変更の履歴は、当該運用設定値に関連する設備や当該設備に関する乖離度の大きさ、運用設定値の変更に基づいて変更された配水計画の変更後の値や変更による結果等に応じて運用履歴記憶部２６１に格納される。また、運用設定値の変更の履歴は、需要、日時、時間帯等に応じて分類されて運用履歴記憶部２６１に格納されてもよい。
【０１０１】
また、上述した運用設定値の変更の履歴には、当該変更に伴う消費電力量の変化の状況に応じて、対処の適切さについての情報が併せて付されてもよい。
【０１０２】
例えば、運用設定値の変化に伴って配水網５０の全体の運用において消費される消費電力量が削減された場合には、当該運用設定値の変化に関する履歴に対して適切な対処である旨の情報が付される。また、運用設定値の変化に起因して、配水網５０の全体の運用にて消費される消費電力量が逆に増加した場合には、当該運用設定値の変化に関する履歴に対して、適切な対処ではない旨の情報が付されてもよい。
【０１０３】
設定値更新部２６０は、一例として、更新すべき運用設定値や運用設定値の具体的な値の候補を次のように決定する。
【０１０４】
設定値更新部２６０は、高い優先度が与えられた設備に関連する運用設定値の変更の履歴を、運用履歴記憶部２６１を参照する等によって取得する。この場合に、設定値更新部２６０は、高い優先度が与えられた設備に関する需要や時間帯等が関連する履歴を参照することが好ましい。設定値更新部２６０が取得する履歴の数は特に限定されない。
【０１０５】
そして、設定値更新部２６０は、例えば、離度の大きさや需要、時間帯等が近似し、かつ、適切な対処がなされた場合の履歴に基づいて、更新すべき設定更新値や、更新される設定更新値の値を決定する。例えば、設定値更新部２６０は、適切な対処がなされた場合の履歴に含まれる、更新された運用設定値を、更新すべき設定更新値や更新される設定更新値の値として用いる。
【０１０６】
なお、更新すべき設定更新値は、乖離度や優先度が高い設備に関連する設定更新値に限られない。優先度が高い設備と隣接し、かつ、優先度決定部１２０にて考慮されていない設備の運用状態に起因して、優先度又は乖離度が大きな設備が生じている可能性が考えられる。したがって、更新すべき設定更新値として、優先度が高い設備と隣接し、かつ、優先度決定部１２０にて考慮されていない設備に関連する設定更新値が含まれてもよい。
【０１０７】
また、更新すべき設定更新値や、更新される設定更新値の具体的な値の候補は、一つに限られない。例えば、適切な対処がなされた場合に関する複数の履歴が記憶されている場合には、設定値更新部２６０は、複数の履歴の各々に基づいて、更新すべき設定更新値や、更新される設定更新値の値に関する候補を決定してもよい。
【０１０８】
更に、設定値更新部２６０が用いる履歴は、適切な対処がなされた場合の履歴に限られない。例えば、高い優先度が与えられた設備に関連する過去の運用履歴に関する平均値等の統計値が用いられてもよい。
【０１０９】
更新すべき設定更新値や、更新される設定更新値の具体的な値の候補が決定すると、設定値更新部２６０は、決定した候補の出力、又は決定した候補に基づく配水網５０における配水計画の更新等を行う。
【０１１０】
決定した候補の出力として、設定値更新部２６０は、例えば、任意の種類のディスプレイ等に表示させるように制御する。設定値更新部２６０は、通信ネットワークを介して接続される他の装置に設けられたディスプレイ等に決定した候補を出力させるように制御してもよい。
【０１１１】
配水運用システム１０や配水網５０に設けられた設備の操作員は、例えば出力された設定値更新部２６０の結果に基づいて、配水網５０に対する新たな運用設定値を適宜決定する。
【０１１２】
また、配水運用システム１０等における配水計画の更新は、例えば以下のように行われる。この場合に、設定値更新部２６０は、新たな運用設定値を配水計画決定部１４０又は配水運用システム１０が備える配水計画決定部１４へ入力する。配水計画決定部１４０又は配水運用システム１０が備える配水計画決定部１４は、取得した新たな運用設定値に基づいて、新たな配水計画を求める。
【０１１３】
運用支援装置の配水計画決定部１４０が新たな配水計画を求めた場合には、配水計画決定部１４０は、求められた新たな配水計画を配水運用システム１０へ入力してもよい。配水運用システム１０は、新たな配水計画を取得し、取得した配水計画に基づいてポンプステーション等の配水網５０における設備の運用を行う。
【０１１４】
配水運用システム１０が備える配水計画決定部１４が新たな配水計画を求めた場合には、配水運用システム１０は、新たな配水計画に基づいて配水網５０の設備を制御する。
【０１１５】
いずれの場合においても、更新すべき複数の運用設定値の候補が決定されている場合には、設定値更新部２６０は、複数の候補のうちのいずれかを適宜選択して運用設定値を更新する。この場合には、例えば、運用履歴記憶部２６１に格納された履歴のうち、適切な対処がなされたとされる履歴に基づいて候補が選択される。又は、配水計画決定部１４０にて求められる配水計画において、更新される運用設定値に関連する設備の数等が少なくなるような候補が選択されてもよい。
【０１１６】
続いて、図９に示すフローチャートを参照して、本発明の第２の実施形態における運用支援装置２００の動作を説明する。
【０１１７】
最初に、乖離度評価部１１０は、乖離度の評価に必要となる情報を取得する（ステップＳ２０１）。
【０１１８】
次に、乖離度評価部１１０は、ステップＳ２０１にて取得された情報を用いて、乖離度を求める（ステップＳ２０２）。
【０１１９】
次に、優先度決定部１２０は、ステップＳ２０２にて求められた乖離度と、ステップＳ２０１にて取得した配水網５０等の構成に関する情報に基づいて、優先度を決定する（ステップＳ２０３）。
【０１２０】
ステップＳ２０１からＳ２０３までの動作は、第１の実施形態における運用支援装置１００のステップＳ１０１からＳ１０３までの動作にそれぞれ対応する。
【０１２１】
次に、設定値更新部２６０は、運用履歴記憶部２６１等を適宜参照して、配水網５０等に設けられた設備の各々に関連する運用設定値の更新に必要となる処理を行う（ステップＳ２０４）。ステップＳ２０４の処理に応じて、配水運用システム１０の運用が変更される。
【０１２２】
以上のとおり、本発明の第２の実施形態における運用支援装置２００では、設定値更新部２６０が、優先度及び配水網５０の運用履歴に基づいて、配水網５０等に設けられた設備の各々に関連する運用設定値の更新に必要となる処理を行う。すなわち、本発明の第２の実施形態における運用支援装置２００では、配水網５０に設けられた設備に関連する修正すべき運用設定値が、上述した優先度に加え、配水網５０における運用履歴に基づいて決定される。そして、適切な対処がなされた場合の運用履歴が用いられることで、運用設定値の適切な修正が容易になる。
【０１２３】
したがって、本実施形態における運用支援装置２００は、第１の実施形態における運用支援装置１００と同様の効果を奏する。また、本実施形態における運用支援装置２００は、第１の実施形態における運用支援装置１００と比較して、更に効率のよい配水網の運用を可能にする。
【０１２４】
以上、実施形態を参照して本発明を説明したが、本発明は上記実施形態に限定されるものではない。本発明の構成や詳細には、本発明のスコープ内で当業者が理解し得る様々な変更をすることができる。また、各実施形態における構成は、本発明のスコープを逸脱しない限りにおいて、互いに組み合わせることが可能である。
【０１２５】
この発明の一部又は全部は、以下の付記のように記載されうるが、これに限られない。
【０１２６】
（付記１）
配水網における設備の運用状態に関する想定値及び実績値に基づいて、前記設備の各々に関する前記想定値と前記実績値との乖離を評価する乖離度評価手段と、
前記乖離及び前記設備の前記配水網における相互関係に関する情報に基づいて、前記配水網における運用設定値の修正に関する優先度を決定する優先度決定手段とを備える運用支援装置。
【０１２７】
（付記２）
前記乖離度評価手段は、前記設備の消費電力量に関する前記想定値及び前記実績値に基づいて前記乖離を評価する、付記１に記載の運用支援装置。
【０１２８】
（付記３）
前記優先度決定手段は、前記相互関係にある設備の数と、前記相互関係にある設備の各々に関する前記運用設定値に対する前記乖離とに基づいて前記優先度を決定する、付記１又は２に記載の運用支援装置。
【０１２９】
（付記４）
前記優先度決定手段は、前記配水網における上流又は下流の位置関係にある複数の前記設備を前記相互関係にある設備として前記優先度を決定する、付記３に記載の運用支援装置。
【０１３０】
（付記５）
前記優先度決定手段は、前記相互関係にある設備の各々に関する前記乖離を前記相互関係にある設備の数にて除した値に基づいて前記優先度を決定する、付記３又は４に記載の運用支援装置。
【０１３１】
（付記６）
前記優先度及び前記配水網の運用履歴に基づいて、前記運用設定値の更新に必要となる処理を行う設定値更新手段を備える、付記１から５のいずれか一項に記載の運用支援装置。
【０１３２】
（付記７）
前記設定値更新手段は、前記優先度に応じて定められた前記設備に対して適切な対処が行われた場合における前記運用履歴に基づいて、更新すべき前記運用設定値を決定する、付記６に記載の運用支援装置。
【０１３３】
（付記８）
前記配水網に関する前記運用設定値を取得する設定値取得手段を備える、付記１から７のいずれか一項に記載の運用支援装置。
【０１３４】
（付記９）
前記運用設定値及び前記配水網の構成に基づいて、前記配水網における配水計画を決定する配水計画決定手段を備える、付記１から８のいずれか一項に記載の運用支援装置。
【０１３５】
（付記１０）
前記配水計画決定手段は、前記設定値更新手段によって特定された新たな前記運用設定値に基づいて、更新された前記配水計画を決定する、付記９に記載の運用支援装置。
【０１３６】
（付記１１）
前記配水網における前記運用状態に関する前記実績を取得する実績値取得手段を備える、付記１から１０のいずれか一項に記載の運用支援装置。
【０１３７】
（付記１２）
前記設備はポンプステーションである、付記１から１１のいずれか一項に記載の運用支援装置。
【０１３８】
（付記１３）
配水網における設備の運用状態に関する想定値及び実績値に基づいて、前記設備の各々に関する前記想定値と前記実績値との乖離を評価し、
前記乖離及び前記設備の前記配水網における相互関係に関する情報に基づいて、前記配水網における運用設定値の修正に関する優先度を決定する運用支援方法。
【０１３９】
（付記１４）
コンピュータに、
配水網における設備の運用状態に関する想定値及び実績値に基づいて、前記設備の各々に関する前記想定値と前記実績値との乖離を評価する処理と、
前記乖離及び前記設備の前記配水網における相互関係に関する情報に基づいて、前記配水網における運用設定値の修正に関する優先度を決定する処理とを実行させるプログラム。
【符号の説明】
【０１４０】
１００    運用支援装置
１１０    乖離度評価部
１２０    優先度決定部
１３、１３０    設定値取得部
１４、１４０    配水計画決定部
１５、１５０    実績値取得部
２６０    設定値更新部
２６１    運用履歴記憶部
５０、６０    配水網
５１    河川
５２    取水施設
５３、６３    浄水場
５４、６４    給水所
５５、６５    需要点
５６    管路
【図１】
2018101172.tif 000003
【図２】
2018101172.tif 000004
【図３】
2018101172.tif 000005
【図４】
2018101172.tif 000006
【図５】
2018101172.tif 000007
【図６】
2018101172.tif 000008
【図７】
2018101172.tif 000009
【図８】
2018101172.tif 000010
【図９】
2018101172.tif 000011
【図１０】
2018101172.tif 000012